(57)【要約】【課題】便座支持部材を浮上させたときに清掃が一層容易となる便器設備を提供する。【解決手段】便座３ｅ及び便蓋３ｆが起倒方向回動自在に取り付けられている便座支持部材２は、座部の前部に配置された昇降可能なフロントベースプレート３ａと、無底箱状の合成樹脂製のカバー３ｄとによって外殻が形成されている。このフロントベースプレート３ａに人体臀部を温水で洗浄するための温水洗浄ノズルが設置されている。このフロントベースプレート３ａの底面には、便座支持部材２が浮上したときにその下側領域Ｓを照らすための照明３ｇが設けられている。浮上スイッチを操作すると、浮上ユニットが便座支持部材２を所定高さまで押し上げ、その状態に停止させる。便座支持部材２が上昇すると、照明３ｇが点灯する。また、電動開閉ユニット、温水切替弁、バルブユニット、温風ファン、脱臭ファン、部屋暖房ファン、温水タンクのヒータ及び浮上ユニットへの通電が停止される。【選択図】　図１
2004084166.tif 000002
【特許請求の範囲】
【請求項１】
便器本体と、
該便器本体に設けられた便座支持部材と、
該便座支持部材に支持された便座と、
該便座支持部材を昇降させる昇降装置と、
該便座支持部材の上昇時に該便座支持部材の下側領域を証明する照明手段とを備えた便器設備において、
該便座支持部材の上昇時に該便座支持部材に設けられた該照明手段以外の電装品を非通電状態とする手段を備えたことを特徴とする便器設備。
【請求項２】
請求項１において、該電装品はモータ、ヒータ又はソレノイドを有した電装品であることを特徴とする便器設備。
【請求項３】
便器本体と、
該便器本体に設けられた便座支持部材と、
該便座支持部材に支持された便座と、
該便座支持部材を昇降させる昇降装置と、
該便座支持部材の上昇時に該便座支持部材の下側領域を証明する照明手段とを備えた便器設備において、
該便座支持部材の上昇時に該便座支持部材の下側領域を見るためのミラーを備えたことを特徴とする便器設備。
【請求項４】
請求項３において、該ミラーに該便座支持部材の下側領域を照明する照明手段が設けられていることを特徴とする便器設備。
【発明の詳細な説明】
【０００１】
【発明の属する技術分野】
本発明は、便座支持部材を昇降させる機構を備えた便器設備に関する。
【０００２】
【従来の技術】
洋風便器の上面に設置された便座は、便座支持部材を介して洋風便器に対し俯仰方向に回動自在に取り付けられている。
【０００３】
この便座支持部材と洋風便器上面との間に尿などの汚れが染み込んで臭気の原因となり易い。そこで、便座支持部材を洋風便器に対し上下動可能とし、洋風便器の清掃時に便座支持部材を便座と共に上方に移動（浮上）させるようにしたものが提案されている（特開２０００−３３０５１号公報）。
【０００４】
また、特開２００２−４３８４号公報には、便座支持部材を浮上させたときに露出する部分を照明器具により照明することが記載されている。
【０００５】
【特許文献１】
特開２０００−３３０５１号公報
【特許文献２】
特開２００２−４３８４号公報
【０００６】
【発明が解決しようとする課題】
本発明は、便座支持部材を浮上させたときに清掃が一層容易となる便器設備を提供することを目的とする。
【０００７】
【課題を解決するための手段】
本発明（請求項１）の便器設備は、便器本体と、該便器本体に設けられた便座支持部材と、該便座支持部材に支持された便座と、該便座支持部材を昇降させる昇降装置と、該便座支持部材の上昇時に該便座支持部材の下側領域を証明する照明手段とを備えた便器設備において、該便座支持部材の上昇時に該便座支持部材に設けられた該照明手段以外の電装品を非通電状態とする手段を備えたことを特徴とするものである。この電装品としては、モータ、ヒータ又はソレノイドを有し、比較的大きな電流が通電され得るものが好適である。
【０００８】
かかる便器設備にあっては、便座支持部材を浮上させて清掃を行うときに安心して水拭きすることができ、清掃作業効率が向上する。
【０００９】
本発明（請求項３）の便器設備は、便器本体と、該便器本体に設けられた便座支持部材と、該便座支持部材に支持された便座と、該便座支持部材を昇降させる昇降装置と、該便座支持部材の上昇時に該便座支持部材の下側領域を証明する照明手段とを備えた便器設備において、該便座支持部材の上昇時に該便座支持部材の下側領域を見るためのミラーを備えたことを特徴とするものである。
【００１０】
かかる便器設備にあっては、便座支持部材の下側領域の汚れ具合や清掃仕上り状態を目視確認する際に頭を鉢部に突っ込む如く近づけることが不要となり、清掃効率が著しく向上する。
【００１１】
このミラーに照明を設けて便座支持部材の下側領域を照明するように構成することにより、該下側領域の汚れ具合や清掃の仕上り状態を目視確認し易い。また、ミラーと照明とを一体化させておくと、ミラーを動かしたときに照明光がそれにつれて動くため、見たい部分に確実に光が当るようになる。
【００１２】
【発明の実施の形態】
以下、図面を参照して実施の形態について説明する。図１は実施の形態に係る便器設備の側面図であり、（ａ）図は便座支持部材の浮上前、（ｂ）図は便座支持部材の浮上後の状態を示している。
【００１３】
陶器製の洋風便器本体１の後部上面に便座支持部材２が昇降可能に設置されており、この便座支持部材２に便座３ｅ及び便蓋３ｆが起倒方向回動自在に取り付けられている。
【００１４】
この実施の形態では、便座支持部材２は、前部に配置された昇降可能なフロントベースプレート３ａと、無底箱状の合成樹脂製のカバー３ｄとによって外殻が形成されている。このフロントベースプレート３ａに、人体臀部を温水で洗浄するための温水洗浄ノズル（図示略）が設置されている。また、このフロントベースプレート３ａの底面には、便座支持部材２が浮上したときにその下側領域Ｓを照らすための照明３ｇが設けられている。この照明３ｇとしてはＬＥＤが好適であるが、これに限定されない。
【００１５】
図示はしないが、このフロントベースプレート３ａ上には、便座３ｅ及び便蓋３ｆを開閉させるモータ駆動式電動開閉ユニット、人体臀部に向けて温風を吹き出してその乾燥を行うモータ駆動式温風ファン、便鉢内から臭気を含んだ空気を吸引して脱臭するモータ駆動式脱臭ファン及び脱臭カートリッジが設けられている。カバー３ｄには、便器本体１に近づいた人体を検知するための人体検知センサが設けられている。
【００１６】
便器本体１の最後部上面には、カバー３ｄの後部側が上方から被さるようにリアベースプレート４ａが設けられている。このリアベースプレート４ａには、前記温水洗浄ノズルへ温水を供給するためのヒータ付き温水タンク４ｂ、モータ駆動式温水切替弁（図示略）が設けられている。また、図示は省略するが、このリアベースプレート４ａには、便座支持部材２を押し上げたり、降下させたりするためのモータ駆動式浮上ユニット、ヒータ及び電動ファンよりなる部屋暖房ファン、電源基板、制御回路基板、便鉢やトラップ部へ水を供給するためのソレノイド駆動式バルブユニット等が設けられている。
【００１７】
この温水洗浄機構等は、トイレルームの壁面に取り付けられたリモコンによって操作される。便座支持部材２又はこのリモコンには、浮上ユニットを操作するための浮上スイッチが設けられている。
【００１８】
この便器設備の作動について次に説明する。
【００１９】
浮上スイッチを操作すると、浮上ユニットが便座支持部材２を所定高さまで押し上げ、その状態に停止させる。また、便座支持部材２が上昇すると、照明３ｇが点灯する。これにより、浮上した便座支持部材２の前部の下側スペース（下側領域）Ｓが照明される。このように下側領域Ｓが明るく照らされるので、該下側領域Ｓに臨む便器本体の上面や、フロントベースプレート３ａの下面等を容易に清掃することができる。
【００２０】
なお、この実施の形態では、便座支持部材２が上昇し終ると、電動開閉ユニット、温水切替弁、バルブユニット、温風ファン、脱臭ファン、部屋暖房ファン、温水タンクのヒータ及び浮上ユニットへの通電が停止される。これにより、安心して水拭き清掃することができる。便座支持部材２を降下させるスイッチを操作すると、これらへの通電が再開される。なお、便座支持部材２が上昇開始すると、浮上ユニット以外の上記電装品への通電を停止するようにしてもよい。通電再開は、便座支持部材２の下降終了後としてもよい。
【００２１】
図２（ａ）は別の実施の形態に係る便器設備の側面図、図２（ｂ）はミラーの側面図、図３は便器設備の斜視図、図４はミラーの斜視図である。
【００２２】
この実施の形態では、フロントベースプレート３ａの照明３ｇは設けられていない。この実施の形態では、便座支持部材２が浮上して形成される下側領域を目視観察するためのミラー５が設けられており、このミラー５に該下側領域Ｓを照らすための光の出射部１１が設けられている。
【００２３】
ミラー５は、複数のアーム６と、屈曲可能な継手７，８，９を介して便座支持部材２に取り付けられている。継手７，８，９は適度な摩擦を有しており、図３のようにミラー５を便座支持部材２の側面に沿う退避姿勢に保持可能であると共に、図２（ａ）のようにミラー５を前記下側領域Ｓの前方に配置し該下側領域Ｓに対峙した姿勢に保持可能である。
【００２４】
便座支持部材２内には、ＬＥＤよりなる光源（図示略）が配置され、この光源からの光が光ファイバ１０を介して出射部１１に導光可能とされている。この出射部１１の光軸方向は、図２（ｂ）の通り、ミラー５を水平面に対し上向き斜め４５゜に配置した状態において略水平方向となっている。光ファイバ１０はアーム６に沿って、又はアーム６内に通されて引き回されている。
【００２５】
このように構成された便器設備においては、便座支持部材２を浮上させた後、ミラー５を下側領域Ｓの前方に配置し、そのミラー面を後方且つ斜め上方４５゜に向ける。そして、上方からミラー５を見ることにより、該下側領域Ｓ内を見ることができる。なお、便座支持部材２を浮上させると、光源（ＬＥＤ）が点灯し、出射部１１から下側領域Ｓに向けて光が出射される。これにより、下側領域Ｓが明るく照らされるので、下側領域Ｓ内の汚れ状況を十分に観察することができる。
【００２６】
なお、このミラー５を介して下側領域Ｓを観察しながら清掃してもよい。清掃後の仕上り状況もミラー５を介して見ることができる。なお、必要に応じ、ミラー５を手で動かして下側領域Ｓを隅々まで観察することもできる。
【００２７】
このように、ミラー５を設けることにより、便鉢１ａに顔を突込む如く近付けることなく、下側領域Ｓ内の観察等が可能であり、きわめて便利である。
【００２８】
図２〜４では照明をミラー５に設けているが、図１のようにフロントベースプレート３ａに設けてもよく、双方に設けてもよい。
【００２９】
上記実施の形態は本発明の一例であり、本発明は上記以外の構成とされてもよい。例えば、ミラー５は便座支持部材２内に格納されてもよい。ミラーは便座や便蓋に支持されてもよい。上記実施の形態では、便座支持部材を電動浮上方式としているが、手動にて昇降させるよう構成してもよい。本発明では、照明は図示以外の箇所に設けられてもよい。照明の設置数は図示のものに限定されない。
【００３０】
【発明の効果】
以上の通り、本発明によると、便座支持部材を浮上させたときに便座支持部材の下側領域の清掃をきわめて容易に行うことが可能となる。
【図面の簡単な説明】
【図１】実施の形態に係る便器設備の側面図である。
【図２】別の実施の形態に係る便器設備の側面図である。
【図３】図２の便器設備の斜視図である。
【図４】図２の便器設備のミラーの斜視図である。
【符号の説明】
１　便器本体
２　便座支持部材
３ａ　フロントベースプレート
３ｅ　便座
３ｆ　便蓋
３ｇ　照明
５　ミラー
【図１】
2004084166.tif 000003
【図２】
2004084166.tif 000004
【図３】
2004084166.tif 000005
【図４】
2004084166.tif 000006